(57)【要約】【課題】視作業をしている作業者の負担を軽減する。【解決手段】作業者Ｐが視作業を行う時に見る視作業面の照度を２００ルクス乃至１００００ルクスの範囲内とする照明光Ｌを発生させる照明光発生部１１と、照明光発生部１１により発生させる照明光Ｌを制御する照明光制御部１３ａと、照明光制御部１３ａを動作させるための制御信号を発生させる制御信号発生部１３ｂとを備え、制御信号発生部１３ｂは、１Ｈｚ以下の周波数成分を有する制御信号を発生させ、照明光制御部１３ａは、制御信号発生部１３ｂにより発生された制御信号に従って、照明光Ｌの輝度、輝度分布、波長分布の少なくとも一つを揺らぐように変化させる。【選択図】図１
2014232583.tif 000002
【特許請求の範囲】
【請求項１】
作業者が視作業を行う時に見る視作業面の照度を２００ルクス乃至１００００ルクスの範囲内とする照明光を発生させる照明光発生部と、
前記照明光発生部により発生させる照明光を制御する照明光制御部と、
前記照明光制御部を動作させるための制御信号を発生させる制御信号発生部とを備え、
前記制御信号発生部は、１Ｈｚ以下の周波数成分を有する制御信号を発生させ、
前記照明光制御部は、前記制御信号発生部により発生された制御信号に従って、前記照明光の輝度、輝度分布、波長分布の少なくとも一つを揺らぐように変化させること
を特徴とする視作業用照明装置。
【請求項２】
前記制御信号発生部は、周波数が１Ｈｚ以下となる周期の単一の関数に従って制御信号を発生させることを特徴とする請求項１に記載の視作業用照明装置。
【請求項３】
前記制御信号発生部は、周波数が１Ｈｚ以下となる周期の関数を複数組み合わせた制御信号を発生させることを特徴とする請求項１に記載の視作業用照明装置。
【請求項４】
前記照明光制御部は、前記照明光を照射する領域を複数に分割し、分割された領域ごとに照明光の変化が異なるように制御することを特徴とする請求項１乃至請求項３の何れか一項に記載の視作業用照明装置。
【請求項５】
作業者の状態を検出する作業者状態検出部を備え、
前記制御信号発生部は、前記作業者状態検出部により検出された作業者の状態に基づいて、発生させる制御信号を変更することを特徴とする請求項１乃至請求項４の何れか一項に記載の視作業用照明装置。
【請求項６】
前記作業者の視野の少なくとも一部における照明光の輝度、輝度分布、波長分布の少なくとも一つを照明光の状態として検出する光検出部を備え、
前記制御信号発生部は、前記光検出部により検出された照明光の状態に基づいて、発生させる制御信号を変更することを特徴とする請求項１乃至請求項５の何れか一項に記載の視作業用照明装置。
【請求項７】
前記照明光発生部による照明光の点灯時間を計測する時間計測部を備え、
前記制御信号発生部は、前記時間計測部により計測された照明光の点灯時間に基づいて、発生させる制御信号を変更することを特徴とする請求項１乃至請求項６の何れか一項に記載の視作業用照明装置。
【請求項８】
前記請求項１乃至請求項７の何れか一項に記載の視作業用照明装置をバックライトとして備える表示装置。
【発明の詳細な説明】
【技術分野】
【０００１】
本発明は、視作業用照明装置及び表示装置に関する。
【背景技術】
【０００２】
快適な照明環境を実現する照明方法としては、下記の特許文献１が知られている。
【０００３】
この特許文献１には、照明ランプを時間周波数で制御することにより、光度、光の色、光度と光の色を変化させる時間について、変化させる時間が長い時間と短い時間を交互で繰り返すことが記載されている。
【先行技術文献】
【特許文献】
【０００４】
【特許文献１】特開２０００−３５７５９１号公報
【発明の概要】
【発明が解決しようとする課題】
【０００５】
上述した特許文献１に記載された技術は、照明光の光度等を繰り返し変化させることにより、呼吸リズムの制御を手助けできるという観点から、快適な照明環境が実現できるとしている。しかし、特許文献１の技術では、実際に作業をしている作業者の視作業の負担を軽減できるものではなかった。
【０００６】
そこで、本発明は、上述した実情に鑑みて提案されたものであり、視作業をしている作業者の負担を軽減できる視作業用照明装置及び表示装置を提供することを目的とする。
【課題を解決するための手段】
【０００７】
本発明の第１の態様に係る視作業用照明装置は、作業者が視作業を行う時に見る視作業面の照度を２００ルクス乃至１００００ルクスの範囲内とする照明光を発生させる照明光発生部と、前記照明光発生部により発生させる照明光を制御する照明光制御部と、前記照明光制御部を動作させるための制御信号を発生させる制御信号発生部とを備え、前記制御信号発生部は、１Ｈｚ以下の周波数成分を有する制御信号を発生させ、前記照明光制御部は、前記制御信号発生部により発生された制御信号に従って、前記照明光の輝度、輝度分布、波長分布の少なくとも一つを揺らぐように変化させることを特徴とする。
【０００８】
本発明の第２の態様に係る視作業用照明装置は、上記第１の態様の視作業用照明装置であって、前記制御信号発生部は、周波数が１Ｈｚ以下となる周期の単一の関数に従って制御信号を発生させることを特徴とする。
【０００９】
本発明の第３の態様に係る視作業用照明装置は、上記第１の態様の視作業用照明装置であって、前記制御信号発生部は、周波数が１Ｈｚ以下となる周期の関数を複数組み合わせた制御信号を発生させることを特徴とする。
【００１０】
本発明の第４の態様に係る視作業用照明装置は、上記第１乃至第３の何れかの態様の視作業用照明装置であって、前記照明光制御部は、前記照明光を照射する領域を複数に分割し、分割された領域ごとに照明光の変化が異なるように制御することを特徴とする。
【００１１】
本発明の第５の態様に係る視作業用照明装置は、上記第１乃至第４の何れかの態様の視作業用照明装置であって、作業者の状態を検出する作業者状態検出部を備え、前記制御信号発生部は、前記作業者状態検出部により検出された作業者の状態に基づいて、発生させる制御信号を変更することを特徴とする。
【００１２】
本発明の第６の態様に係る視作業用照明装置は、上記第１乃至第５の何れかの態様の視作業用照明装置であって、前記作業者の視野の少なくとも一部における照明光の輝度、輝度分布、波長分布の少なくとも一つを照明光の状態として検出する光検出部を備え、前記制御信号発生部は、前記光検出部により検出された照明光の状態に基づいて、発生させる制御信号を変更することを特徴とする。
【００１３】
本発明の第７の態様に係る視作業用照明装置は、上記第１乃至第６の何れかの態様の視作業用照明装置であって、前記照明光発生部による照明光の点灯時間を計測する時間計測部を備え、前記制御信号発生部は、前記時間計測部により計測された照明光の点灯時間に基づいて、発生させる制御信号を変更することを特徴とする。
【００１４】
本発明の第８の態様に係る表示装置は、上記第１乃至第７の何れかに記載の視作業用照明装置をバックライトとして備える。
【発明の効果】
【００１５】
本発明によれば、照明光の輝度、輝度分布、波長分布の少なくとも一つを揺らぐように変化させることにより、視作業をしている作業者の負担を軽減できる。
【図面の簡単な説明】
【００１６】
【図１】本発明の実施形態として示す視作業用照明装置の構成を示す概略図である。
【図２】制御信号の時間的な変化を示す図である。
【図３】本発明の実施形態として示す視作業用照明装置の他の構成を示す概略図である。
【図４】他の制御信号の時間的な変化を示す図である。
【図５】本発明の実施形態として示す視作業用照明装置の他の構成を示す概略図である。
【図６】他の制御信号の時間的な変化を示す図である。
【図７】人間の視野について説明する図である。
【図８】本発明の実施形態として示す視作業用照明装置の他の構成を示す概略図である。
【図９】本発明の実施形態として示す視作業用照明装置の他の構成を示す概略図である。
【図１０】本発明の実施形態として示す視作業用照明装置の他の構成を示す概略図である。
【図１１】本発明の実施形態として示す表示装置の構成を示す概略図である。
【図１２】（ａ）は制御信号の一例によって変化させた瞳孔径の計算値を示し、（ｂ）は（ａ）に対応する瞳孔径の周波数スペクトルを示す。
【図１３】（ａ）は制御信号の一例によって変化させた瞳孔径の計算値を示し、（ｂ）は（ａ）に対応する瞳孔径の周波数スペクトルを示す。
【図１４】（ａ）は実測した瞳孔径の変化の一例を示し、（ｂ）は（ａ）に対応する瞳孔径の周波数スペクトルを示す。
【発明を実施するための形態】
【００１７】
以下、本発明の実施の形態について図面を参照して説明する。
【００１８】
本発明を適用した視作業用照明装置１は、例えば図１に示すように構成されている。
【００１９】
視作業用照明装置１は、例えばデスクスタンドに設けられたデスク用照明器具に適用される。視作業用照明装置１は、照明部１０、照明光発生部１１、アーム部１２、制御部１３、及び、支持部１４を有している。
【００２０】
照明部１０は、照明光発生部１１を収容する筐体によって構成される。照明部１０は、光源としての照明光発生部１１を収容している。照明部１０は、例えば複数のＬＥＤが円環状に配置された照明光発生部１１を収容している。
【００２１】
照明光発生部１１は、任意の光源であって、照明光Ｌを発生させる。照明光発生部１１は、作業者Ｐがテーブル１００上の視対象物１００ａを見る視作業のために照明光Ｌを照明する。なお、視対象物１００ａとしては、書物など、任意のものであるが、周囲の空間などであってもよい。
【００２２】
この照明光Ｌは、作業者Ｐが視作業を行う時に見る視作業面の照度を２００ルクス乃至１００００ルクスの範囲内とするよう輝度が調整される。この照度は、作業者Ｐが視作業を行うことに適した大きさである。２００ルクスは、粗い視作業を行うことができる照度である。この２００ルクスは、視力を検査するときの照度でもある。また、１００００ルクスは、晴れた日中の窓際の照度であり、これ以上の照度は多くの人がまぶしいと感じるが、ものをみることができる明るさである。作業者が極めて細かい視作業を行うためには３０００ルクス以上の照度が必要である。なお、高齢者は通常の２〜４倍の照度が必要であるといわれている。
【００２３】
照明光発生部１１は、照明光Ｌの輝度、輝度分布、波長分布の少なくとも一つが調整可能に構成される。照明光発生部１１は、制御部１３からの調光信号を入力して、輝度、輝度分布、波長分布の少なくとも一つを変更する。これにより、照明光発生部１１は、調光信号に従って、照明光Ｌの輝度、輝度分布、波長分布の少なくとも一つを揺らぐように変化させる。この照明光Ｌの揺らぎは、作業者Ｐの瞳孔Ｅの変化（揺らぎ）に１Ｈｚ以上の成分が含まれないようにするよう調整される。また、照明光Ｌの揺らぎは、短時間で大きく振幅が変化することなく滑らかに変化される。
【００２４】
瞳孔径は、視対象物１００ａ上の視作業面が暗い環境では約８ｍｍ〜９ｍｍ程度である。視作業面の照度が２００ルクス乃至１００００ルクスの範囲となると、瞳孔径は５ｍｍ〜６ｍｍ以下となる。視作業用照明装置１は、照明光Ｌの輝度、輝度分布、波長分布の少なくとも一つを揺らぐように変化させることによって、瞳孔径の変化を誘発する。
【００２５】
制御部１３は、照明光制御部１３ａ及び制御信号発生部１３ｂを含む。照明光制御部１３ａは、照明光発生部１１により発生させる照明光Ｌを制御する。このため、制御部１３は、照明光発生部１１に対して調光信号を供給する。
【００２６】
照明光制御部１３ａは、照明光発生部１１の発光量を直接的に変化させる電源により構成可能である。照明光制御部１３ａを電源として構成した場合、制御信号発生部１３ｂから制御信号を受けて電流値（調光信号）を変化させる。また、他の形態としては、照明光制御部１３ａは、一定の発光量で発光する照明光発生部１１の前に置かれた液晶パネルやフィルター、シャッター、ミラー、拡散板などの光学系を有していてもよい。照明光制御部１３ａは、照明光発生部１１が複数のＬＥＤから成る場合、各ＬＥＤに対して調光信号を出力する。
【００２７】
照明光制御部１３ａは、作業者が視作業を行う時に見る視作業面の照度を２００ルクス乃至１００００ルクスの範囲内とするよう照明光Ｌの輝度を調整する。また、照明光制御部１３ａは、視作業面の照度を２００ルクス乃至１００００ルクスの範囲内に維持した上で、照明光発生部１１における照明光Ｌの輝度、輝度分布、波長分布の少なくとも一つを調整する。このとき、照明光制御部１３ａは、制御信号発生部１３ｂにより発生された制御信号に従って、照明光Ｌの輝度、輝度分布、波長分布の少なくとも一つを揺らぐように変化させる。
【００２８】
照明光制御部１３ａによって変化させる照明光Ｌの要素は、作業者Ｐの瞳孔径に作用するものであればよい。本実施形態では、照明光Ｌの要素としての輝度を調整することによって、視対象物１００ａの照度を変化させている。また、本実施形態では、照明光Ｌの要素としての配光（輝度分布）を調整することによって、照明光Ｌの照射領域を変化させている。さらに、本実施形態では、照明光Ｌの要素としての波長成分を調整することによって、照明光Ｌの色味を変化させている。さらに、照明光制御部１３ａは、照明光Ｌの輝度、配光、波長成分の２つ又はすべてを揺らぐように変化させてもよい。
【００２９】
制御信号発生部１３ｂは、照明光制御部１３ａを動作させるための制御信号を発生させる。制御信号発生部１３ｂは、照明光Ｌを制御するための１Ｈｚ以下の周波数成分を有する制御信号を発生する発振器によって構成可能である。この制御信号は、例えば、図２に示すように、１周期（ｔ１〜ｔ２）が１秒以下となるよう調整されたものである。これにより、制御信号は、１Ｈｚ以下の周波数成分を有するものとなる。制御信号発生部１３ｂは、この制御信号を照明光制御部１３ａに供給して、照明光Ｌの揺らぎの周波数を１Ｈｚ以下とし、作業者Ｐの瞳孔径に１Ｈｚ以下の周波数の揺らぎを生じさせる。
【００３０】
この制御信号の振幅は、作業者Ｐが意識できる程度の明るさを変化させることが望ましい。実際に照明光Ｌの明るさのみを変化させて瞳孔径の変化を計測すると、明るさが一定の場合でも常に生じている瞳孔径の微小な揺らぎと区別できる程度に瞳孔径を変化させるためには、作業者Ｐが意識できる程度の明るさの変化が必要がある。一方、作業者Ｐに明るさの変化が意識され、瞳孔径も同期して変化する程度に明るさを変化させても、周波数が１Ｈｚ以下（例えば０．２Ｈｚ）の周期で緩やかに変化させた場合には、視作業に支障を感じない。
【００３１】
以上のように、この視作業用照明装置１によれば、１Ｈｚ以下の周波数成分を含む制御信号によって照明光Ｌに揺らぎを与えて、視対象物１００ａを照射する。これにより視対象物１００ａから作業者Ｐの瞳孔Ｅに入る光が１Ｈｚ以下の周波数成分によって揺らぐことになる。すると、作業者Ｐの瞳孔Ｅは、入射する光の揺らぎに同期して瞳孔径が揺らぐ。このとき、視対象物１００ａから作業者Ｐの目に入る光の要素（同上）が揺らぐことにより、目の生理的作用によって瞳孔Ｅの筋肉が反応し、その結果、瞳孔径も同期して揺らぐ。
【００３２】
３Ｈｚ以上の周波数の点滅光が光過敏性に影響することは一般に知られている。また、ウィンカーの点滅周期（毎分６０〜１２０回）で分かるとおり、１Ｈｚ〜２Ｈｚの周波数の明るさ変化でも、注意を惹く効果がある。このような観点より、照明光Ｌの輝度や波長の時間的変化を制御して、瞳孔径に周波数が１Ｈｚ以下の揺らぎを誘発するように光刺激を与える。これにより、作業者Ｐの視作業を損なうことなく、不快感、負担感、疲労感などを感じにくくし、快適にすることができる。
【００３３】
さらに、良好な視覚を保つには、眼に適度な運動が起こり、眼筋肉を調整することが必要である。また、長時間、一箇所に視線を固定した緊張状態にしないことが求められる。瞳孔は、目に入る光に反応して筋肉が緊張及び弛緩することにより、収縮及び拡張する。さらに、快適や不快といった感覚が自律神経を通じて、瞳孔径の動きに現れることが知られている。そこで、視作業用照明装置１は、作業者Ｐの瞳孔Ｅに適度な運動を与えることで、視作業を快適に行えるようにすることが期待できる。
【００３４】
上述した視作業用照明装置１において、制御信号発生部１３ｂは、１Ｈｚ以下の周期の単一の関数に従って制御信号を発生させてもよい。
【００３５】
この視作業用照明装置１は、例えば図３に示すように、照明光発生部として、窓のように外部からの光を取り入れて視対象物１００ａに照明光Ｌを照射する構成を有している。この視作業用照明装置１は、光透過部２１、ルーバー部２２、光入射部２３、太陽電池パネル２４、及び、支持部２５によって構成されている。
【００３６】
光透過部２１は、例えば住宅の窓であり、光入射部２３によって集光された外光を透過して視対象物１００ａに照明光Ｌを導く。この光透過部２１の光透過側にはルーバー部２２が配置されている。ルーバー部２２は、その傾斜角度が調整可能な複数の開閉機構によって実現される。ルーバー部２２は、制御信号発生部１３ｂから制御信号が供給される。この制御信号は、光透過部２１を透過した照明光Ｌが１Ｈｚ以下の周波数の単一周期で揺らぐように調整するものであり、図２に示したような正弦波である。
【００３７】
この視作業用照明装置１は、太陽電池パネル２４により発電した電力を、制御部１３及び図示しないルーバー部２２の回動機構に供給する。これにより、視作業用照明装置１は、外光が差し込む状況において、外光によって太陽電池パネル２４が発電し、外光を取り込んで視対象物１００ａを照射する。なお、太陽電池パネル２４は、支持部２４ａに支持されて、所定の傾きとなるよう設置されている。
【００３８】
このような視作業用照明装置１は、光入射部２３及び光透過部２１を介して照明光Ｌを取り込み、ルーバー部２２における開閉角度を制御する。これにより、視作業用照明装置１は、視対象物１００ａの照度を２００ルクス乃至１００００ルクスとなるよう調整する。さらに、視作業用照明装置１は、制御信号発生部１３ｂにより発生させた制御信号によってルーバー部２２の動作を制御して、照明光Ｌの光量を滑らかに調整する。
【００３９】
このような視作業用照明装置１によれば、上述した視作業用照明装置１と同様に、視作業をしている作業者の負担を軽減できる。また、この視作業用照明装置１によれば、周波数が１Ｈｚ以下の周期の単一の関数に従って制御信号を発生させるので、制御信号発生部１３ｂによって単純な信号を発生させればよい。これにより、視作業用照明装置１は、制御信号発生部１３ｂのコストやサイズ、消費電力などを低減しつつ、瞳孔径を１Ｈｚ以下の周波数で揺らがせることができ、適用範囲が広がる。
【００４０】
さらに、上述した図１の視作業用照明装置１は、周波数が１Ｈｚ以下の周期の関数を複数組み合わせた制御信号を発生させてもよい。このような視作業用照明装置１の制御信号発生部１３ｂは、図４に示すように、極大値間の時間を１０秒程度にした正弦波に、１Ｈｚよりも低い周波数成分を含む正弦波を重ね合わせている。また、制御信号発生部１３ｂは、例えば自然の風や揺らめく炎などに特徴的な１／ｆ揺らぎを模擬した制御信号を発生してもよい。これにより、視作業用照明装置１は、視作業時の照明光Ｌを１Ｈｚ以下の複数周期の周波数成分で揺らがせる。これにより、作業者Ｐの瞳孔径に１Ｈｚ以下の周波数の揺らぎを生じさせる。
【００４１】
なお、制御信号発生部１３ｂは、位相をずらした複数の波形を重ねて制御信号を発生させてもよい。その場合、結果的に複数周期の周波数成分が含まれることになる。また、制御信号発生部１３ｂは、周期或いは位相の異なる複数の関数を組み合わせて制御信号を発生させてもよい。
【００４２】
この視作業用照明装置１によれば、１Ｈｚ以下の周期の関数を複数組み合わせた制御信号を発生させるので、作業者Ｐの瞳孔径に自然な揺らぎを誘発でき、作業時の快適性を向上させることができる。
【００４３】
さらに、この視作業用照明装置１によれば、より自然に瞳孔径に揺らぎを誘発するため、様々な自然現象をサンプリングし、１Ｈｚ以上の周波数成分を減衰させたものを用いて制御信号を発生させることもできる。また、自然に溢れた公園などの遠隔地にセンサを設置し、自然現象をリアルタイムに計測した信号をネットワーク経由で取り込み、１Ｈｚ以上の周波数成分を減衰させるフィルターを通して、制御信号の生成に利用してもよい。これにより、例えば○○公園の安らぎの光というイメージと共に、快適性をさらに向上させることが期待できる。
【００４４】
さらに、上述した視作業用照明装置１において、照明光制御部１３ａは、照明光Ｌを照射する領域を複数に分割し、分割された領域ごとに照明光Ｌの変化を異なるように制御してもよい。
【００４５】
照明光制御部１３ａは、例えば、照明光Ｌの領域として、照明光Ｌの中心部（中心光Ｌ１）と周辺部（周辺光Ｌ２）とに分割する。そして、照明光制御部１３ａは、中心光Ｌ１の揺らぎと、周辺光Ｌ２の揺らぎとが異なるように制御する。各領域の揺らぎを制御することにより、例えば中心部の揺らぎの幅を小さくし、周辺の揺らぎの幅を大きくでき、視作業時の効率を向上させるようにする。
【００４６】
具体的には、視作業用照明装置１は、図５に示すように、照明光発生部１１を、照明光Ｌのうちの中心光Ｌ１を発生する中心光発生部１１Ａと、照明光Ｌのうちの周辺光Ｌ２を発生する周辺光発生部１１Ｂとして構成する。
【００４７】
制御信号発生部１３ｂは、中心光発生部１１Ａを動作させるための中心光用制御信号と、周辺光発生部１１Ｂを動作させるための周辺光用制御信号とを発生させる。中心光用制御信号と周辺光用制御信号とは、中心光Ｌ１の揺らぎ成分と、周辺光Ｌ２の揺らぎ成分とが異なるように発生される。制御信号発生部１３ｂは、異なる領域について、照明光Ｌに与える揺らぎの周波数や振幅、位相、基準値などを調節する。
【００４８】
照明光制御部１３ａは、制御信号発生部１３ｂから中心光用制御信号及び周辺光用制御信号が供給される。照明光制御部１３ａは、中心光用制御信号に従って中心光発生部１１Ａを制御し、周辺光用制御信号に従って周辺光発生部１１Ｂを制御する。これにより、照明光制御部１３ａは、それぞれ別個に、中心光発生部１１Ａ及び周辺光発生部１１Ｂの発光量を滑らかに変化させる。
【００４９】
具体的には、視作業用照明装置１は、中心光Ｌ１には小さな揺らぎを与え、周辺光Ｌ２には大きな揺らぎを与える。すなわち、図６に示すように、中心光用制御信号ａの振幅を、周辺光用制御信号ｂの振幅よりも小さくする。これにより、作業者Ｐが注視する視対象物１００ａの中央部では概ね一様な照明光Ｌとなり、視対象物１００ａの視認性を向上させることができる。一方、視対象物１００ａの周辺部では、周辺光Ｌ２の揺らぎによって、瞳孔径の揺らぎを誘発することができる。
【００５０】
作業者Ｐ（人間）の周辺視野は図７に示すような視野特性を有している。作業者Ｐの視野は、概ね５つに分類される。図中の（ａ）は網膜上の中心窩に視細胞（特に錐体細胞）が多く分布し視力や色の弁別などの視機能が最も優れた弁別視野である。この弁別視野は数度以内の範囲である。（ｂ）は、眼球運動だけで対象を捉えられノイズの中から目的とする対象を受容できる有効視野である。この有効視野は、左右に約１５度、上に約８度、下に約１２度以内の範囲である。（ｃ）は、頭部の運動が伴うことで無理なく対象を注視できる注視安定視野である。この注視安定視野は、左右に３０〜４５度、上に２０〜３０度、下に２５〜４０度以内の範囲である。（ｄ）は、提示された対象の存在のみ判定でき人間の空間座標感覚に影響を与える誘導視野である。この誘導視野は、水平に３０〜１００度、垂直に２０〜８５度の範囲である。（ｅ）は、提示された対象への知覚は極度に低下し強い刺激などに注視動作を誘発させる程度の働きをする補助視野である。この補助視野は、水平に１００〜２００度、垂直に８５〜１３５度の範囲である。このことから、視作業用照明装置１は、例えば、（ａ）〜（ｂ）の視野に中心光Ｌ１を照射し、（ｄ）の視野に周辺光Ｌ２を照射してもよい。
【００５１】
この視作業用照明装置１は、視対象物１００ａの中心部及び周辺部に１Ｈｚ以下の周波数成分を有する中心光Ｌ１及び周辺光Ｌ２を照射させるので、作業者Ｐの瞳孔径に自然な揺らぎを誘発でき、作業時の快適性を向上させることができる。これに加え、この視作業用照明装置１によれば、視対象物１００ａにおける視認性を確保しつつ、瞳孔Ｅの運動による快適性を適切な状態に調節することができる。
【００５２】
作業者Ｐの瞳孔反応には、明るい時の視認性や色覚を支配する中心視野のみならず、周辺視野や、視覚そのものではなく明るさ知覚に関する視細胞なども関与する。このため、視野領域によって揺らぎの内容を変えることで、視認性と瞳孔への刺激をある程度区別することができる。この視作業用照明装置１は、中心光Ｌ１と周辺光Ｌ２とで発光量、すなわち明るさを揺らがせているが、これ以外に揺らぎを与えてもよい。例えば、瞳孔反応と視認性については波長による影響の違いも大きいため、中心光Ｌ１と周辺光Ｌ２とで異なるよう波長分布を揺らぐようにしてもよい。例えば青色光は瞳孔への影響が大きいので、周辺光Ｌ２を青色の波長成分を大きくしてもよい。
【００５３】
さらに、上述した視作業用照明装置１は、作業者の状態を検出する作業者状態検出部を備えていてもよい。この作業者状態検出部は、例えば制御部１３に収容されたカメラ部１３ｃ及び画像処理部１３ｄにより構成される。カメラ部１３ｃは、視対象物１００ａ周囲であって作業者Ｐの瞳孔Ｅを撮像可能な撮像範囲とする。カメラ部１３ｃは、撮像した画像を画像処理部１３ｄに供給する。画像処理部１３ｄは、画像のうち瞳孔Ｅを抽出する。画像処理部１３ｄは、作業者Ｐの状態として作業者Ｐの瞳孔径を検出する。
【００５４】
制御信号発生部１３ｂは、作業者状態検出部（１３ｃ、１３ｄ）により検出された作業者の状態に基づいて、発生させる制御信号を変更する。制御信号発生部１３ｂは、画像処理部１３ｄにより抽出された瞳孔径の変化に基づいて、照明光Ｌに与える揺らぎの程度を調節する。照明光Ｌに与える揺らぎの周波数や振幅、位相、基準値などを調節する。
【００５５】
制御信号発生部１３ｂは、作業者Ｐの瞳孔Ｅが入射する光の揺らぎに同期して、１Ｈｚ以下の周波数成分を含んで揺らいでいるかを判定する。制御信号発生部１３ｂは、１Ｈｚ以下の周波数成分を含んで揺らぐように照明光Ｌを調整する。
【００５６】
照明光Ｌの変化量と瞳孔径の変化量の関係には個人差があると想定される。このことから、作業者Ｐの状態としての瞳孔径を検出することで、瞳孔径の変化に個人差があっても制御信号を補正できる。これにより、視作業用照明装置１は、作業者Ｐが作業をするときの利便性および快適性を向上させることができる。
【００５７】
また、照明光Ｌの照明条件が変わらないのに瞳孔径の平均値が小さくなることがある。この原因としては疲労や眠気が考えられる。これに対し、制御信号発生部１３ｂは、瞳孔径の検出値の変化をもとに、照明光Ｌの揺らぎの振幅を大きくするよう制御信号を変更する。これにより、視作業用照明装置１は、瞳孔Ｅの筋肉への刺激を大きくして、リフレッシュを促すといった使い方ができ、快適性をより向上させることができる。
【００５８】
なお、本例においては、作業者の状態として瞳孔径を検出する作業者状態検出部としてカメラ部１３ｃと画像処理部１３ｄとを備えている。視作業用照明装置１は、作業者の状態としては、瞬き、表情、姿勢なども用いることができる。また、作業者の状態として、脈拍や体温、呼吸数、脳波なども用いることができる。そして、作業者状態検出部は、各々の計測に適切な構成を採用することができる。視作業用照明装置１は、瞳孔径と同様に、疲労や眠気、対象物への興味や集中の度合いなどを判断して、照明光Ｌの揺らぎの振幅を大きくして刺激を与え、リフレッシュを促すことができる。
【００５９】
さらに、上述した視作業用照明装置１は、作業者Ｐの視野の少なくとも一部における照明光の輝度、輝度分布、波長分布の少なくとも一つを検出する光検出部（３１、３２）を備えていてもよい。この光検出部は、例えば照明部１０に収容されたカメラ部３１及び画像処理部３２により構成される。カメラ部３１は、視対象物１００ａ又は視対象物１００ａの周囲を撮像可能な撮像範囲とする。カメラ部３１は、撮像した画像を画像処理部３２に供給する。画像処理部３２は、撮像された画像から、視対象物１００ａ周囲における領域の状態としての輝度、配光、波長分布、視対象物の特性などを検出する。
【００６０】
なお、画像処理部３２は、撮像された画像から、視対象物１００ａの特性として色（分光反射率）、形状、文字、テクスチャ等を検出してもよい。画像処理部３２は、視対象物１００ａの特性に応じて制御信号の周波数や振幅、位相、基準値などの制御を行ってもよい。
【００６１】
制御信号発生部１３ｂは、光検出部（３１、３２）により検出された照明光Ｌの状態に基づいて、発生させる制御信号を変更する。制御信号発生部１３ｂは、画像処理部３２により抽出された照明光Ｌの輝度、配光、波長分布、視対象物の特性の変化に基づいて、照明光Ｌに与える揺らぎの程度を調節する。照明光Ｌに与える揺らぎの周波数や振幅、位相、基準値などを調節する。ここで、視対象物１００ａの周囲光の影響や、視対象物の特性によって、視作業用照明装置１から照射された照明光Ｌによる効果が違う。これに対し、視作業用照明装置１は、作業者Ｐの視野内の状態を検出することで、視作業用照明装置１を使用している環境に応じて照明光Ｌを補正する。これにより、視作業用照明装置１は、利便性及び快適性を向上させることができる。
【００６２】
なお、本例においては、照明部１０にカメラ部３１及び画像処理部３２を収容しているが、より作業者Ｐの視野に近い情報を得るために、作業者Ｐの眼鏡に装着したり、天井に設置してもよい。この場合、検出した視対象物１００ａ周囲の情報をワイヤレス通信によって、制御信号発生部１３ｂに送信することができる。
【００６３】
さらに、上述した視作業用照明装置１は、図１０に示すように、照明光制御部１３ａによる照明光Ｌの点灯時間を計測する時間計測部１３ｅを備えていてもよい。また、時間計測部１３ｅは、視作業用照明装置１の使用時間を計測してもよい。時間計測部１３ｅは、例えば照明光制御部１３ａが電源で構成されている場合には、電源の動作時間を計測する。時間計測部１３ｅが計測する時間は、例えば作業者Ｐが継続して視対象物１００ａを視認している時間である。
【００６４】
制御信号発生部１３ｂは、時間計測部１３ｅにより計測された照明光Ｌの点灯時間に基づいて、発生させる制御信号を変更する。制御信号発生部１３ｂは、時間計測部１３ｅにより計測された時間に応じて照明光Ｌの点灯時間や視作業用照明装置１の使用時間を判定する。制御信号発生部１３ｂは、計測された時間が長いと判定した場合、当該タイミングで照明光Ｌの揺らぎを大きくする。これにより、例えば連続して２時間以上に亘って作業者Ｐが視作業をしている場合に、瞳孔径に揺らぎを与えてリフレッシュを促すなどして、快適性の向上を図ることができる。
【００６５】
なお、時間計測部１３ｅは、作業者Ｐが視対象物１００ａから離れたことを検出して、より正確な点灯時間を計測したり、計測した時間をリセットしてもよい。このため、時間計測部１３ｅは、例えば近接センサを使用して、作業者Ｐが席を立ったかどうかを判定してもよい。また、時間計測部１３ｅは、時刻（朝、昼、夕など）の情報を用いて、体内時計のリズムとの対応をもとに制御信号の発生内容を変化させることで、快適性の向上が期待できる。
【００６６】
さらに、上述した視作業用照明装置１は、表示装置のバックライトとして使用してもよい。この表示装置は、例えば図１１に示すように、液晶パネル４１の背面にバックライトとしてのＬＥＤ光源部４２を配置している。このＬＥＤ光源部４２は、照明光制御部１３ａの制御に従って動作し、１Ｈｚ以下の周波数成分を有するように照明光Ｌに揺らぎを与える。これにより、液晶パネル４１の表示面は、１Ｈｚ以下の周波数成分を有するように明るさが変化される。また、照明光制御部１３ａは、ＬＥＤ光源部４２の輝度のみならず、配光、波長成分に揺らぎを与えてもよい。
【００６７】
また、照明光制御部１３ａは、表示装置の（モノクロ、カラー、読書用など）に応じて、表示面に表示された画像を明確に表示するという機能を損なわないように、揺らがせる照明光Ｌの要素や揺らぎの大きさを適切に設定する必要がある。
【００６８】
このような表示装置によれば、上述した視作業用照明装置１を備えているので、表示面を見て視作業をしている作業者の負担を軽減できる。
【００６９】
なお、視作業用照明装置１を表示装置のバックライトとして表現しているが、液晶パネル４１とバックライトを組み合わせた構成に限られることはない。例えば、有機ＥＬやプラズマパネルなどの自発光ディスプレイについても、視作業用照明装置１と同様に明るさ調整をしてもよい。また、視作業用照明装置１は、プロジェクタの光源として機能し、プロジェクタから出射する光の要素に揺らぎを与えてもよい。
【００７０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００７１】
上述した実施形態において、制御信号及び瞳孔径の揺らぎの実施例は以下のようになる。
【００７２】
図１２（ａ）は、周期を５秒（０．２Ｈｚ）の正弦波とした制御信号によって照明光Ｌに揺らぎを与えた時の瞳孔径（シミュレーション計算値）の例を示す。図１２（ｂ）は、図１２（ａ）の瞳孔径の揺らぎの周波数スペクトルである。
【００７３】
図１３（ａ）は、周期１０秒、周期５秒、周期３秒、周期２秒、周期１．２５秒の正弦波を１／ｆの大きさで混合した制御信号によって照明光Ｌに揺らぎを与えた時の瞳孔径（シミュレーション計算値）の例を示す。図１３（ｂ）は、図１３（ａ）の瞳孔径の揺らぎの周波数スペクトルである。
【００７４】
図１４（ａ）は、周期が５秒（０．２Ｈｚ）の正弦波で照明光を変調させた場合における左右の眼ごとにおける瞳孔径の横幅の実測例を示し、図１４（ｂ）は、実測した瞳孔径の周波数スペクトルを示す。図１４（ｂ）の周波数スペクトルで分かるとおり、照明光を制御することにより、実際に瞳孔径の変化に１Ｈｚ以下（０．２Ｈｚ）の周波数成分を含ませることができている。
【符号の説明】
【００７５】
１  視作業用照明装置
１０  照明部
１１  照明光発生部
１３ａ  照明光制御部
１３ｂ  制御信号発生部
１３ｃ  カメラ部（作業者状態検出部）
１３ｄ  画像処理部（作業者状態検出部）
１３ｅ  時間計測部
３１  カメラ部（光検出部）
３２  画像処理部（光検出部）
４１  液晶パネル
【図１】
2014232583.tif 000003
【図２】
2014232583.tif 000004
【図３】
2014232583.tif 000005
【図４】
2014232583.tif 000006
【図５】
2014232583.tif 000007
【図６】
2014232583.tif 000008
【図７】
2014232583.tif 000009
【図８】
2014232583.tif 000010
【図９】
2014232583.tif 000011
【図１０】
2014232583.tif 000012
【図１１】
2014232583.tif 000013
【図１２】
2014232583.tif 000014
【図１３】
2014232583.tif 000015
【図１４】
2014232583.tif 000016